(57)【要約】  被制御装置から情報を受信する受信部と、受信部で受信した情報に基づきその内容を表示する表示部と、表示部に表示された内容に基づき操作者が被制御装置による動作を選択指示する入力部と、入力部の入力情報に基づき被制御装置を操作する操作情報を被制御装置に送信する送信部と、を有し、被制御装置を双方向無線通信で制御する双方向リモコン装置において、表示部は、表示する内容を無電源で保持可能な表示媒体を有し、内容の書き換え時のみ電力を消費することを特徴とする双方向リモコン装置。
2008087829.tif 000002
【特許請求の範囲】
【請求項１】
被制御装置から情報を受信する受信部と、
前記受信部で受信した前記情報に基づきその内容を表示する表示部と、
前記表示部に表示された前記内容に基づき操作者が前記被制御装置による動作を選択指示する入力部と、
前記入力部の入力情報に基づき前記被制御装置を操作する操作情報を該被制御装置に送信する送信部と、を有し、前記被制御装置を双方向無線通信で制御する双方向リモコン装置において、
前記表示部は、表示する前記内容を無電源で保持可能な表示媒体を有し、前記内容の書き換え時のみ電力を消費することを特徴とする双方向リモコン装置。
【請求項２】
前記表示部は、所定間隔で前記情報を受信し、前記情報に基づき表示する内容を更新することを特徴とする請求の範囲第１項に記載の双方向リモコン装置。
【請求項３】
前記被制御装置は、放送局装置から放送用情報および付加情報を多重化して送信された多重化情報を受信するデジタル放送受信装置であり、
前記受信部は、前記デジタル放送受信装置を介して、該デジタル放送受信装置で受信された前記多重化情報に含まれる前記付加情報を受信することを特徴とする請求の範囲第１項または第２項に記載の双方向リモコン装置。
【請求項４】
前記受信部で受信された前記付加情報を記憶する記憶部を有し、
前記表示部は、前記記憶部に記憶された前記付加情報に基づきその内容を表示することを特徴とする請求の範囲第３項に記載の双方向リモコン装置。
【請求項５】
表示する前記内容を無電源で保持可能な前記表示媒体は、少なくとも強誘電性液晶表示素子、反強誘電性液晶表示素子、強誘電性高分子液晶表示素子、コレステリック液晶表示素子、エレクトロクロミック表示素子、電気泳動セルを用いた表示素子、粒子移動型表示素子、銀の析出と溶解により表示を行う表示素子、ツイストボールを用いた表示素子のいずれかであることを特徴とする請求の範囲第１項乃至第４項のいずれか１項に記載の双方向リモコン装置。
【請求項６】
双方向無線通信手段として、すくなくともＢｌｕｅｔｏｏｔｈ、ワイヤレスＵＳＢ、赤外線通信のいずれかを用いたことを特徴とする請求の範囲第１項乃至第５項のいずれか１項に記載の双方向リモコン装置。
【発明の詳細な説明】
【技術分野】
【０００１】
本発明は、双方向リモコン装置に関し、特に被制御装置から受信した情報に基づきその内容を表示する表示部を備えた双方向リモコン装置に関する。
【背景技術】
【０００２】
近年、デジタルテレビに代表されるデジタル情報家電では、多機能、高性能化が進展するに伴い、該情報家電の動作を制御するリモコン装置の操作性や利便性もより優れたものが求められる様になってきた。【０００３】
例えば、デジタル放送の分野では、従来、デジタル技術の発展に伴い放送用映像、音声、データ信号をデジタル信号として一元的に扱い、通信衛星等を利用して放送を行うデジタル放送サービスが実用化されている。【０００４】
また、ＭＰＥＧ等の圧縮多重化技術の発展に伴い、非常に多くのチャンネルの放送を提供することが可能となり、この様な複数チャンネルの中から視聴者が希望の番組が選択できるように電子番組ガイドサービスも実用化されている。【０００５】
この電子番組ガイドサービスは、放送番組や放送予定番組の番組名、放送局名、簡単な番組内容、出演者等の情報を提供するサービスであり、放送予定番組の検索や、放送予定番組の中から簡単に録画予約できる機能も有している。【０００６】
そして、視聴者は、この電子番組ガイドをテレビ画面に表示させて、テレビ画面を見ながらリモコン操作により一覧表示や検索や録画予約の操作、設定等を行うことができるようになっている。【０００７】
また、最近は電子番組ガイドサービス以外にも各種サービスが提案されており、テレビ画面を見ながらリモコン操作を行うことにより、各種サービスを受けることができる様になっている。【０００８】
ところで、この様なリモコン装置では、電子番組ガイドサービス等の各種サービスを利用しようとすると、サービス内容をテレビ画面に表示させた上で、リモコン操作により各種設定等を行う必要があり、それまで視聴していた番組の邪魔をしてしまうものであり、例え画面の一部だけを使用して操作することができたとしても、それまでその番組を視聴していた人にどうしても不快感を与えるものであった。【０００９】
そこで、従来、電子番組ガイドサービス等の各種サービスを利用する際に、サービス内容をテレビ画面に表示させることなく、手元にあるリモコン上に表示させながら各種設定等を行うことにより各種サービスを受けることができる双方向リモコン装置が種々検討されている（例えば、特許文献１参照）。【００１０】
ここで、従来の双方向リモコン装置における電子番組ガイド等の表示例を図７を用いて説明する。図７（ａ）は、従来の双方向リモコン装置５の概略構成を示す外観模式図、図７（ｂ）乃至図７（ｅ）は、電子番組ガイド等の表示例を示す模式図である。【００１１】
双方向リモコン装置５は、図７（ａ）に示す様に、例えば透過の液晶表示パネルであるＬＣＤ表示部５０１、各種操作スイッチを備えた入力部５２０等を有し、デジタル放送受信装置から送信された電子番組ガイドデータを受信し、受信した電子番組ガイドデータに基づいた映像をＬＣＤ表示部５０１に表示する。表示内容としては、例えば、受信チャンネルのみを表示するもの（図７（ｂ）参照）、受信チャンネル表示に番組内容の概要説明を付加したもの（図７（ｃ）参照）、また、放送番組のサムネイル映像を表示するもの（図７（ｄ）参照）、さらに放送番組そのものを表示するもの（図７（ｅ）参照）等がある。
【特許文献１】特開２００４−２６６７９９号公報
【発明の開示】
【発明が解決しようとする課題】
【００１２】
この様に、操作性や利便性を考慮した双方向リモコン装置が種々提案されている。【００１３】
しかしながら、特許文献１に開示されている表示部を備えた双方向リモコン装置においては、表示部に係る消費電力により、比較的早く電池が消耗してしまい、使用時間に大きく影響を及ぼすといった問題がある。また、消費電力を抑える為に、表示部の電源を一定時間毎にＯＮ／ＯＦＦし電池の消耗を抑制する必要があり利便性を大きく阻害するといった問題がある。【００１４】
本発明は、上記課題を鑑みてなされたもので、情報を表示する表示部を備えた双方向リモコン装置において、消費電力を抑えながら、操作性や利便性に優れた双方向リモコン装置を提供することを目的とする。
【課題を解決するための手段】
【００１５】
上記目的は、下記の１乃至５のいずれか１項に記載の発明によって達成される。【００１６】
１．被制御装置から情報を受信する受信部と、
前記受信部で受信した前記情報に基づきその内容を表示する表示部と、
前記表示部に表示された前記内容に基づき操作者が前記被制御装置による動作を選択指示する入力部と、
前記入力部の入力情報に基づき前記被制御装置を操作する操作情報を該被制御装置に送信する送信部と、を有し、前記被制御装置を双方向無線通信で制御する双方向リモコン装置において、
前記表示部は、表示する前記内容を無電源で保持可能な表示媒体を有し、前記内容の書き換え時のみ電力を消費することを特徴とする双方向リモコン装置。【００１７】
２．前記表示部は、所定間隔で前記情報を受信し、前記情報に基づき表示する内容を更新することを特徴とする１．に記載の双方向リモコン装置。【００１８】
３．前記被制御装置は、放送局装置から放送用情報および付加情報を多重化して送信された多重化情報を受信するデジタル放送受信装置であり、
前記受信部は、前記デジタル放送受信装置を介して、該デジタル放送受信装置で受信された前記多重化情報に含まれる前記付加情報を受信することを特徴とする１．または２．に記載の双方向リモコン装置。【００１９】
４．前記受信部で受信された前記付加情報を記憶する記憶部を有し、
前記表示部は、前記記憶部に記憶された前記付加情報に基づきその内容を表示することを特徴とする３．に記載の双方向リモコン装置。【００２０】
５．表示する前記内容を無電源で保持可能な前記表示媒体は、少なくとも強誘電性液晶表示素子、反強誘電性液晶表示素子、強誘電性高分子液晶表示素子、コレステリック液晶表示素子、エレクトロクロミック表示素子、電気泳動セルを用いた表示素子、粒子移動型表示素子、銀の析出と溶解により表示を行う表示素子、ツイストボールを用いた表示素子のいずれかであることを特徴とする１．乃至４．のいずれか１項に記載の双方向リモコン装置。【００２１】
６．双方向無線通信手段として、すくなくともＢｌｕｅｔｏｏｔｈ、ワイヤレスＵＳＢ、赤外線通信のいずれかを用いたことを特徴とする１．乃至５．のいずれか１項に記載の双方向リモコン装置。
【発明の効果】
【００２２】
本発明によれば、被制御装置から受信した情報は、表示する内容を無電源で保持可能な表示媒体に表示される為、該情報の表示が一時的或いは永久的に保持される。また、該表示媒体は、表示する内容の書換え時のみ電力を消費し、書換えが終了した後には電力を消費することなく内容を表示させておくことが可能である。よって、消費電力を抑制することができるとともに、ユーザにとって該情報を利用し易くなる。【００２３】
また、所定間隔で該情報を受信し、該情報に基づきその内容を更新するようにしたので、消費電力を抑制しつつ、ユーザは新しい情報を利用できる。
【図面の簡単な説明】
【００２４】
【図１】本発明に係る双方向リモコン装置の実施形態１による概略構成を示す外観模式図である。
【図２】本発明に係る双方向リモコン装置の実施形態１による電気回路ブロック構成図である。
【図３】本発明に係る双方向リモコン装置の実施形態１による表示動作の流れを示すフローチャートである。
【図４】実施形態１による表示例を示す模式図である。
【図５】本発明に係る双方向リモコン装置の実施形態２による表示動作の流れを示すフローチャートである。
【図６】実施形態２による表示例を示す模式図である。
【図７】従来の双方向リモコン装置における表示例を示す模式図である。
【符号の説明】
【００２５】
１，５  双方向リモコン装置
１０１，５０１  ＬＣＤ表示部
１０２  ＬＣＤ制御部
１０３  ＶＲＡＭ
１０４  タッチパネル
１０５  タッチパネル監視部
１１１  ＣＰＵ
１１２  ＲＯＭ
１１３  ＲＡＭ
１１４  送信部
１１５  受信部
１１６  外部Ｉ／Ｆ
１１７  Ｆｌａｓｈメモリ
１２０，５２０  入力部
【発明を実施するための最良の形態】
【００２６】
以下図面に基づいて、本発明に係る双方向リモコン装置の実施の形態を説明する。尚、本発明を図示の実施の形態に基づいて説明するが、本発明は該実施の形態に限られない。【００２７】
〔実施形態１〕
最初に、実施形態１による双方向リモコン装置１の構成を図１を用いて説明する。図１は、本発明に係る双方向リモコン装置１の実施形態１による概略構成を示す外観模式図である。【００２８】
双方向リモコン装置１は、図１に示す様に、ＬＣＤ表示部１０１、及び入力部１２０等を備えている。【００２９】
双方向リモコン装置１は、図示しない被制御装置を介して受信した情報に基づきその内容をＬＣＤ表示部１０１に表示する。操作者は、ＬＣＤ表示部１０１に表示された内容に基づき入力部１２０により被制御装置に行わせたい所望の動作を選択指示する。そして双方向リモコン装置１は、入力部１２０に入力された入力情報に基づき被制御装置を操作する操作情報を送信するものである。【００３０】
尚、双方向リモコン装置１は、デジタル放送受信装置（例えば、デジタルテレビ）、録画再生装置（例えば、ハードディスクレコーダー）等のデジタル情報家電、エアコン、電子レンジ、洗濯機、冷蔵庫等の生活家電等の制御を統括して行うことできるが、ここでは、デジタルテレビを被制御装置の１例として以下説明する。【００３１】
次に、双方向リモコン装置１の電気回路構成を図２を用いて説明する。図２は、本発明に係る双方向リモコン装置の実施形態１による電気回路ブロック構成図である。【００３２】
図２に示す様に、双方向リモコン装置１は、ＬＣＤ表示部１０１、ＬＣＤ制御部１０２、ＶＲＡＭ１０３、タッチパネル１０４、タッチパネル監視部１０５、ＣＰＵ１１１、ＲＯＭ１１２、ＲＡＭ１１３、Ｆｌａｓｈメモリ１１７、送信部１１４、受信部１１５、外部Ｉ／Ｆ１１６、及び入力部１２０等を有する。【００３３】
ＬＣＤ表示部１０１は、例えば、特開平１０−３２４１５５号公報に記載されている強誘電性液晶から構成される表示装置の様に、表示内容を無電源で保持する機能（メモリ性）を有した所謂電子ペーパと称される表示媒体である。【００３４】
電子ペーパは、表示する内容を電気的に書換えることができ、内容の書換え時のみ電力を消費する一方、書換えが終了した後には電力を消費することなく内容を表示させておくことが可能であり、消費電力を抑制することができる。【００３５】
この様なメモリ性を有する表示媒体としては、前述の強誘電性液晶表示素子の他、例えば、反強誘電性液晶素子、強誘電性高分子液晶表示素子、室温でコレステリック液晶相を示すカイラルネマチック液晶等を用いたコレステリック液晶表示素子、また、液晶でなくとも、エレクトロクロミック表示素子、電気泳動セルを用いた表示素子、粒子移動型表示素子、銀の析出と溶解により表示を行う表示素子、ツイストボールを用いた表示素子等を利用して構成することも可能である。【００３６】
ＬＣＤ制御部１０２は、ＬＣＤ表示部１０１で行われる表示動作を制御する。【００３７】
ＶＲＡＭ（Ｖｉｄｅｏ  ＲＡＭ）１０３は、ＬＣＤ表示部１０１の画素数に対応した映像信号の記録容量を有し、ＬＣＤ表示部１０１に再生表示される映像を構成する映像信号のバッファメモリである。【００３８】
タッチパネル１０４は、ＬＣＤ表示部１０１の前面に設けられたタッチパネルセンサである。【００３９】
タッチパネル監視部１０５は、双方向リモコン装置１が電力を殆ど消費しないスリープ状態においてもタッチパネル１０４からの入力の有無を監視することができる。【００４０】
ＣＰＵ（中央演算処理装置）１１１は、タッチパネル１０４や入力部１２０からの信号を受けて、表示動作や画像信号処理、及び被制御装置との間で行われる情報の送受信動作を統括的に制御する。【００４１】
ＲＯＭ（Ｒｅａｄ  Ｏｎｌｙ  Ｍｅｍｏｒｙ）１１２は、各種制御プログラム等を記憶する。ＲＡＭ（Ｒａｎｄｏｍ  Ａｃｃｅｓｓ  Ｍｅｍｏｒｙ）１１３は、演算処理や制御処理等の作業データを一時的に格納する。【００４２】
送信部１１４は、被制御装置に対する操作情報を送信する。受信部１１５は、被制御装置、例えば、デジタルテレビからの電子番組ガイドデータや放送番組データを受信する。尚、無線通信手段としては、ＢｌｕｅｔｏｏｔｈやワイヤレスＵＳＢ、また、低消費電力型のデバイスが好適である。【００４３】
外部Ｉ／Ｆ１１６は、例えば、ＳＤメモリカード等の外部メモリとのインターフェースである。【００４４】
入力部１２０は、図示しない各種操作スイッチを備えたスイッチ群である。【００４５】
ここで、この様な構成の双方向リモコン装置１で行われる表示動作の流れを図３、及び図４を用いて説明する。図３は、表示動作の流れを示すフローチャート、図４は、表示例を示す模式図である。【００４６】
最初に、双方向リモコン装置１の電源をＯＮすると、図４（ａ）に示す様に、ＬＣＤ表示部１０１に、被制御装置として、例えば、テレビ、エアコン、電子レンジ、洗濯機等の制御が可能であることを示すメニュー画面が表示される。【００４７】
ここで、タッチパネル１０４によりテレビを選択すると（ステップＳ１）、テレビは起動するとともに放送局装置からの多重化情報に含まれる番組ガイドデータ等の付加情報を双方向リモコン装置１に送信する（ステップＳ２）。【００４８】
双方向リモコン装置１は、テレビからの番組ガイドデータを受信し（ステップＳ３）、受信した番組ガイドデータに基づいた映像をＬＣＤ表示部１０１に表示する（ステップＳ４）。番組ガイドは、例えば、図４（ｂ）に示す様に、各チャンネルの番組内容の概要説明が付加された番組表である。【００４９】
ＬＣＤ表示部１０１に番組ガイドが表示されると、ＣＰＵ１１１は、ＬＣＤ表示部１０１への電源供給を停止し、双方向リモコン装置１を省電力モード、またはスリープ状態に遷移させる（ステップＳ５）。ＬＣＤ表示部１０１は、電源の供給が停止された後もそのメモリ性により番組ガイドの表示を保持している。【００５０】
次に、操作者がタッチパネル１０４により所望の番組、例えば、図４（ｂ）に示す様に６チャンネルを選択・入力すると（ステップＳ６）、タッチパネル監視部１０５は検知した入力情報をＣＰＵ１１１に送信することで、ＣＰＵ１１１は、ＬＣＤ表示部１０１への電源供給を開始し、双方向リモコン装置１を省電力モード、またはスリープ状態からレジューム状態に復帰させる（ステップＳ７）。【００５１】
双方向リモコン装置１は、レジューム状態に復帰すると、入力情報、すなわち番組情報をテレビに送信し（ステップＳ８）、テレビは、双方向リモコン装置１からの番組情報を受信すると、図４（ｃ）に示す様に、受信した該番組情報に応じた放送番組を選択する。【００５２】
一方、ＣＰＵ１１１は、番組情報の送信が完了すると、ＬＣＤ表示部１０１への電源供給を停止し、双方向リモコン装置１をレジューム状態から省電力モード、またはスリープ状態に遷移させ、次の入力に向けて待機する（ステップＳ９）。ＬＣＤ表示部１０１は、次の入力によりその内容が書換えられるまでは同じ内容の番組ガイドの表示を保持している。【００５３】
この様に、本発明の実施形態１に係る双方向リモコン装置１においては、例えば、放送局装置からの多重化情報に含まれる番組ガイド等の付加情報をテレビを介して受信し、受信した該付加情報をＬＣＤ表示部１０１に表示することができるので、ユーザにとって該付加情報を利用し易くなる。また、該付加情報は、表示する内容の保持可能なメモリ性を有する表示媒体に表示される為、付加情報の表示が一時的或いは永久的に保持されることで、同様に、ユーザにとって該付加情報を利用し易くなる。また、該媒体は、表示する内容の書換え時のみ電力を消費し、書換えが終了した後には電力を消費することなく内容を表示させておくことが可能であり、消費電力を抑制することができる。【００５４】
〔実施形態２〕
次に、実施形態２による双方向リモコン装置１について説明する。その要部構成は、前述の実施形態１と略同様なので説明は省略し、動作の異なる表示動作について説明する。【００５５】
本実施形態による双方向リモコン装置１は、前述の図３を用いて説明した実施形態１による双方向リモコン装置１の表示動作に加え、所定の時間（例えば３０分）間隔でテレビより番組ガイドデータ等の付加情報を受信し、受信した番組ガイドデータに基づいてＬＣＤ表示部１０１の表示内容を書換え、更新するものである。【００５６】
具体的には、図５を用いて説明する。図５は、表示動作の流れを示すフローチャートである。【００５７】
前述の図３のステップＳ９で双方向リモコン装置１が省電力モード、またはスリープ状態に遷移した後（ステップＳ１）、ＣＰＵ１１１に設けられた計時カウンタが計時を開始する（ステップＳ２）。所定の時間が経過すると（ステップＳ３）、ＣＰＵ１１１は、双方向リモコン装置１をレジューム状態に復帰させ（ステップＳ４）、テレビと送受信を行い、テレビより番組ガイドデータを取得する（ステップＳ５）。そして取得した番組ガイドデータに基づいてＬＣＤ表示部１０１の表示内容を書換え、更新する（ステップＳ６）。ＬＣＤ表示部１０１の表示内容の更新が完了すると、ＣＰＵ１１１は、ＬＣＤ表示部１０１への電源供給を停止し、双方向リモコン装置１をレジューム状態から省電力モード、またはスリープ状態に遷移させる（ステップＳ７）。ＬＣＤ表示部１０１は、電源の供給が停止された後もそのメモリ性により番組ガイドの表示を保持している。【００５８】
次に、タッチパネル１０４による、入力がなければ（ステップＳ８；Ｎｏ）ステップＳ２に戻り、定期的に番組ガイド表示を更新する。一方、タッチパネル１０４による、入力が有れば（ステップＳ８；Ｙｅｓ）、入力情報に応じた表示に更新される（ステップＳ９）。【００５９】
この様に、定期的に番組ガイドデータ等の付加情報が更新されることにより、ユーザにとって該付加情報をより利用し易くなる。【００６０】
また、本実施形態による双方向リモコン装置１は、情報の保持に電力を消費せず、本発明における記憶部に該当する、例えばＦｌａｓｈメモリ１１７を有し、テレビで放映中の番組の周波数とは異なる周波数帯域の電波で受信した番組の詳細情報、関連情報等をＦｌａｓｈメモリ１１７に記録することができる。これにより、ユーザは、番組の放映中、終了後に係らず、番組の詳細情報、関連情報等を随時Ｆｌａｓｈメモリ１１７から読出し利用することができる。図６（ａ）に、Ｆｌａｓｈメモリ１１７から読出された番組の関連情報の一例がＬＣＤ表示部１０１に表示されている様子を示す。【００６１】
また、例えば、図６（ｂ）に示す様に、通信販売番組を受信中にカメラが紹介されたとき、双方向リモコン装置１は、該カメラに関する詳細な情報をテレビを介して受信しＦｌａｓｈメモリ１１７に記録する。ユーザは、番組の放映中、終了後に係らず好きなときに該カメラに関する詳細情報をＦｌａｓｈメモリ１１７から読出し、図６（ｃ）に示す様に、閲覧することができる。さらに、該カメラが所望の商品であれば、発注処理を行うことも可能である。【００６２】
また、同様に、紀行ものの番組においては、詳細な現地情報等を、随時閲覧することができる。さらに詳しい情報を入手したい場合は、ハイパーリンク機能等を利用して、テレビ、携帯電話、パソコン等汎用ネットワーク環境を通じて情報検索の依頼をすることも可能である。【００６３】
この様に、本発明の実施形態２に係る双方向リモコン装置１においては、テレビを介して受信した番組の詳細情報、関連情報等を情報の保持に電力を消費しないＦｌａｓｈメモリ１１７に記録する様にしたので、ユーザは、番組の放映中、終了後に係らず好きなときに詳細情報をＦｌａｓｈメモリ１１７から読出し利用することができる。これにより、消費電力を抑えながら、操作性や利便性をさらに高めることができる。
【図６】
2008087829.tif 000003
【図１】
2008087829.tif 000004
【図２】
2008087829.tif 000005
【図３】
2008087829.tif 000006
【図４】
2008087829.tif 000007
【図５】
2008087829.tif 000008
【図７】
2008087829.tif 000009
【国際調査報告】
2008087829.tif 000010
2008087829.tif 000011